(57)【要約】【課題】ハウジングの後端面から保持部材までの間で電線が曲げられたことに起因して端子金具がハウジング内で斜め姿勢となることを抑制する。【解決手段】複数本の電線１２と、電線１２の前端部に接続された端子金具１１と、複数の端子金具１１を幅方向に並列した状態で収容し、複数本の電線１２を後方へ導出させたハウジング１０と、ハウジング１０の後方において複数の電線１２を束ねた状態に保持する保持部材２０とを備えたワイヤーハーネスＷａにおいて、保持部材２０は、幅方向に並ぶ複数の結束部材２１Ａ，２１Ｂを連結して構成されており、複数の結束部材２１Ａ，２１Ｂにおいては、複数の電線１２が幅方向に分割されて束ねられた状態で保持されている。【選択図】図１
2010123382.tif 000002
【特許請求の範囲】
【請求項１】
複数本の電線と、
前記電線の前端部に接続された端子金具と、
複数の前記端子金具を幅方向に並列した状態で収容し、前記複数本の電線を後方へ導出させたハウジングと、
前記ハウジングの後方において前記複数の電線を束ねた状態に保持する保持部材とを備えたワイヤーハーネスにおいて、
前記保持部材は、前記幅方向に並ぶ複数の結束部材を連結して構成されており、
前記複数の電線は、幅方向に分割されて束ねられた状態で前記複数の結束部材により保持されていることを特徴とするワイヤーハーネス。
【請求項２】
隣り合う２つの前記結束部材は、一方の前記結束部材に設けた突起を、他方の前記結束部材に設けた孔部に係止させることによって連結されていることを特徴とする請求項１記載のワイヤーハーネス。
【請求項３】
隣り合う２つの前記結束部材は、前記２つの結束部材に設けた孔部にリング状部材を挿通することによって連結されていることを特徴とする請求項１記載のワイヤーハーネス。
【請求項４】
隣り合う２つの前記結束部材は、面ファスナーによって連結されていることを特徴とする請求項１記載のワイヤーハーネス。
【請求項５】
隣り合う２つの前記結束部材は、一方の前記結束部材に設けた突起を、他方の前記結束部材に設けた溝部に対して弾性的に嵌合させることによって連結されていることを特徴とする請求項１記載のワイヤーハーネス。
【発明の詳細な説明】
【技術分野】
【０００１】
本発明は、ワイヤーハーネスに関するものである。
【背景技術】
【０００２】
特許文献１には、複数本の電線と、各電線の前端部に接続された端子金具と、後方から複数の端子金具が挿入されて複数本の電線を後方へ導出させているハウジングと、ハウジングの後方において複数の電線を一纏めに束ねた状態に保持する保持部材とを備えたワイヤーハーネスが開示されている。
【特許文献１】特開平８−３２２７５号公報
【発明の開示】
【発明が解決しようとする課題】
【０００３】
ハウジングが複数の端子金具を並列状態で収容する形態である場合において、ハウジングから後方へ導出されている複数本の電線を一纏めに束ねると、並列方向における中央領域に配置された端子金具に接続されている電線については、そのハウジングの後端面から保持部材までの部分が、端子金具に対してほぼ一直線状に配索される。
【０００４】
ところが、並列方向における端部領域に配置された端子金具に接続されている電線については、そのハウジングの後端面から保持部材までの部分が、端子金具に対して斜め方向に曲げられた状態で配索されることになる。このように電線が端子金具に対して斜めに曲げられた状態で配索されると、電線の弾性復元力が端子金具に作用し、その結果、端子金具がハウジング内で斜め姿勢をとる虞がある。端子金具が斜め姿勢になることは、その端子金具の接続相手との間の接触状態に支障を来す原因となるため、避けなければならない。
【０００５】
特に、電線を構成する導体が、銅製ではなく、銅に比べて曲げ剛性の高いアルミニウムを含むものである場合には、電線の弾性復元力が大きくなる。そのため、電線から端子金具に作用する曲げ力も大きくなり、端子金具が斜め姿勢になる傾向が顕著となる。
【０００６】
本発明は上記のような事情に基づいて完成されたものであって、ハウジングから後方へ導出された複数本の電線を保持部材によって束ねた状態保持するようにしたワイヤーハーネスにおいて、ハウジングの後端面から保持部材までの間で電線が曲げられたことに起因して端子金具がハウジング内で斜め姿勢となることを抑制することを目的とする。
【課題を解決するための手段】
【０００７】
上記の目的を達成するための手段として、請求項１の発明は、複数本の電線と、前記電線の前端部に接続された端子金具と、複数の前記端子金具を幅方向に並列した状態で収容し、前記複数本の電線を後方へ導出させたハウジングと、前記ハウジングの後方において前記複数の電線を束ねた状態に保持する保持部材とを備えたワイヤーハーネスにおいて、前記保持部材は、前記幅方向に並ぶ複数の結束部材を連結して構成されており、前記複数の電線は、幅方向に分割されて束ねられた状態で前記複数の結束部材により保持されているところに特徴を有する。
【０００８】
請求項２の発明は、請求項１に記載のものにおいて、隣り合う２つの前記結束部材は、一方の前記結束部材に設けた突起を、他方の前記結束部材に設けた孔部に係止させることによって連結されているところに特徴を有する。
【０００９】
請求項３の発明は、請求項１に記載のものにおいて、隣り合う２つの前記結束部材は、前記２つの結束部材に設けた孔部にリング状部材を挿通することによって連結されているところに特徴を有する。
【００１０】
請求項４の発明は、請求項１に記載のものにおいて、隣り合う２つの前記結束部材は、面ファスナーによって連結されているところに特徴を有する。
【００１１】
請求項５の発明は、請求項１に記載のものにおいて、隣り合う２つの前記結束部材は、一方の前記結束部材に設けた突起を、他方の前記結束部材に設けた溝部に対して弾性的に嵌合させることによって連結されているところに特徴を有する。
【発明の効果】
【００１２】
＜請求項１の発明＞
複数本の電線は、幅方向に分割されて複数の束となり、各束毎に個別に結束部材によって束ねた状態に保持される。各結束部材は、幅方向即ち端子金具の並列方向に並んで配置されているので、複数本の電線は、１つの保持部材によって一纏めに束ねられた場合に比べると、幅方向に拡がって配置されることになる。したがって、ハウジングの後端面から保持部材の間では、端子金具にする電線の曲げ角度が小さく抑えられる。これにより、電線の弾性復元力に起因して端子金具が斜め姿勢になることを抑制することができる。
【００１３】
＜請求項２の発明＞
隣り合う結束部材は、突起を孔部に係止させるだけで連結されるので、連結時の作業性が良い。
【００１４】
＜請求項３の発明＞
結束部材に設けた孔部にリング状部材を挿通して連結しているので、確実に連結状態を保持することができる。
【００１５】
＜請求項４の発明＞
隣り合う結束部材を面ファスナーで連結するようにしたので、連結時の作業性が良い。
【００１６】
＜請求項５の発明＞
隣り合う結束部材は、突起を溝部に対して弾性的に嵌合させるだけで連結されるので、連結時の作業性が良い。
【発明を実施するための最良の形態】
【００１７】
＜実施形態１＞
以下、本発明を具体化した実施形態１を図１を参照して説明する。本実施形態のワイヤーハーネスＷａは、ハウジング１０と、ハウジング１０内に挿入される複数の端子金具１１と、端子金具１１に接続された複数本の電線１２と、複数本の電線１２をハウジング１０の後方で束ねた状態に保持するための保持部材２０とを備えて構成されている。
【００１８】
ハウジング１０の内部には、前後方向に細長い複数のキャビティ（図示省略）が形成されている。複数のキャビティは、左右方向（ハウジング１０の幅方向）に一定ピッチで並列状に配置されている。各キャビティの前端（図１における左側の端部）は、ハウジング１０の前端面において、相手側端子（図示省略）を挿入させるための受入口（図示せず）として開口されている。各キャビティの後端は、ハウジング１０の後端面において端子金具１１を挿入させるための端子挿入口（図示せず）として開口されている。
【００１９】
各キャビティ内には、後方から端子金具１１が挿入されている。端子金具１１は、全体として前後方向に細長く、端子金具１１の後端部には、電線１２の前端部が圧着等により電気的導通可能に接続されている。接続された電線１２は、端子金具１１に対してほぼ一直線状をなすように後方（図１における右方）へ延びている。
【００２０】
電線１２は、導体を絶縁被覆で包囲した周知形態のものである。導体の材料としては、銅や、銅よりも剛性が高い材料（例えば、アルミニウム）や、銅よりも導電率の低い材料（例えば、アルミニウム）が用いられる。端子金具１１をキャビティに挿入した状態では、電線１２がハウジング１０の後端面から後方へ導出される。そして、ハウジング１０から導出された複数本の電線１２は、保持部材２０によって束ねられる前の状態では、ハウジング１０の後方において概ね並列状に配索されている。
【００２１】
ハウジングから導出された複数本の電線を束ねた状態に保持する手段としては、複数本の電線の全てを１つの保持部材によって一纏めに束ねる方法が考えられる。しかし、このような保持形態では、幅方向において保持部材から遠い位置の電線は、ハウジングの後端面から保持部材までの間において端子金具に対して大きな角度で曲げられることになる。
【００２２】
このように電線が端子金具に対して斜めに曲げられた状態で配索されると、電線の弾性復元力が端子金具に作用し、その結果、端子金具がキャビティ内で斜め姿勢をとる虞がある。端子金具が斜め姿勢になることは、その端子金具に接続される相手側端子との間の接触状態に支障を来す原因となるため、避けなければならない。
【００２３】
特に、電線を構成する導体が、銅製ではなく、銅に比べて曲げ剛性の高いアルミニウムを含むものである場合には、電線の弾性復元力が大きくなるため、電線から端子金具に作用する曲げ力も大きくなり、端子金具が斜め姿勢になる傾向が顕著となる。
【００２４】
そこで、本実施形態では、対をなす第１結束部材２１Ａと第２結束部材２１Ｂとによって保持部材２０を構成している。結束部材２１Ａ，２１Ｂとしては、当初から無端筒状に成形されていて、電線１２を挿通させる形態のもの、又は可撓性を有する幅広のシート状をなしていて、電線１２を包囲するように曲げてリング状に固定する形態のものが用いられている。
【００２５】
ハウジング１０から後方へ導出された複数本の電線１２は、ハウジング１０の幅方向（左右方向）における中央位置を境として左右に２分割され、一方の電線群１２Ａは、第１結束部材２１Ａにより束ねられた状態に保持され、他方の電線群１２Ｂは、第２結束部材２１Ｂにより束ねられた状態に保持される。一対の結束部材２１Ａ，２１Ｂは、上下方向（幅方向とは直角な方向）に重なるように配置されているのではなく、幅方向に間隔を空けて並ぶように配置している。したがって、左右に２分割された２群の電線１２Ａ，１２Ｂも、左右に間隔を空けて並ぶように配置される。
【００２６】
本実施形態によれば、２つの結束部材２１Ａ，２１Ｂは、幅方向即ち端子金具１１の並列方向に並んで配置されているので、複数本の電線１２は、１つの保持部材によって一纏めに束ねられた場合に比べると、幅方向に拡がって配置されることになる。したがって、ハウジング１０の後端面から保持部材２０（結束部材２１Ａ，２１Ｂ）の間では、端子金具１１にする電線１２の曲げ角度が小さく抑えられる。これにより、電線１２の弾性復元力に起因して端子金具１１が斜め姿勢になることを抑制することができる。
【００２７】
また、この一対の結束部材２１Ａ，２１Ｂには、この両結束部材２１Ａ，２１Ｂを幅方向に並べて配置した状態に維持する連結手段が設けられている。即ち、第１結束部材２１Ａの外面における第２結束部材２１Ｂとの対向位置には、略Ｌ字形に屈曲した突起２２が形成され、この突起２２の後方を向いた先端部には、拡径部２３が形成されている。また、第２結束部材２１Ｂの外面における第１結束部材２１Ａとの対向位置には、前後方向に貫通する孔部２５を有する連結部２４が形成されている。
【００２８】
突起２２は前方から孔部２５に貫通される。このとき、拡径部２３が弾性的に縮径変形するとともに、孔部２５が弾性的に拡径変形し、拡径部２３が孔部２５を通過し終わると、拡径部２３が孔部２５の後側の孔縁に引っ掛かる。この引っ掛かり作用により、突起２２と孔部２５が係止した状態に保持され、第１結束部材２１Ａと第２結束部材２１Ｂが幅方向に間隔を空けて並んだ状態を保つように連結される。本実施形態の連結手段によれば、突起２２を孔部２５に差し込んで係止させるだけで、隣り合う２つの結束部材２１Ａ，２１Ｂを連結することができるので、連結時の作業性が良い。
【００２９】
＜実施形態２＞
次に、本発明を具体化した実施形態２を図２を参照して説明する。本実施形態２のワイヤーハーネスＷｂは、保持部材３０が第１結束部材３１Ａと第２結束部材３１Ｂとにより構成され、この両結束部材３１Ａ，３１Ｂを幅方向に間隔を空けて並んだ状態を保って連結するための連結手段を上記実施形態１とは異なる構成としたものである。連結手段以外の構成（保持部材３０及び結束部材３１Ａ，３１Ｂを含む）については上記実施形態１と同じであるため、同じ構成については、構造、作用及び効果の説明は省略する。
【００３０】
第１結束部材３１Ａの外面における第２結束部材３１Ｂとの対向位置には、前後方向に貫通する孔部３３を有する連結部３２が形成されており、第２結束部材３１Ｂの外面における第１結束部材３１Ａとの対向位置にも、前後方向に貫通する孔部３３を有する連結部３２が形成されている。そして、第１結束部材３１Ａの孔部３３と第２結束部材３１Ｂの孔部３３には、リング状部材３４が挿通されている。リング状部材３４は、可撓性を有する細長い部材をリング状に曲げたものである。リング状部材３４の一方の端部には貫通孔３５が形成され、リング状部材３４の他方の端部には拡径部３６が形成されている。
【００３１】
両結束部材３１Ａ，３１Ｂを連結する際には、リング状部材３４を２つの孔部３３に挿通した後、貫通孔３５に拡径部３６を貫通させる。このとき、拡径部３６が弾性的に縮径変形するとともに、貫通孔３５が弾性的に拡径変形する。拡径部３６が貫通孔３５を通過し終わると、拡径部３６が貫通孔３５の孔縁に引っ掛かり、リング状部材３４が無端状のリングとなる。これにより、２つの連結部３２がリング状部材３４を介して連結した状態に保持され、第１結束部材３１Ａと第２結束部材３１Ｂが幅方向に間隔を空けて並んだ状態を保つように連結される。この連結手段によれば、結束部材３１Ａ，３１Ｂに設けた孔部３３にリング状部材３４を挿通して連結しているので、確実に連結状態を保持することができる。
【００３２】
＜実施形態３＞
次に、本発明を具体化した実施形態３を図３を参照して説明する。本実施形態２のワイヤーハーネスＷｃは、保持部材４０が第１結束部材４１Ａと第２結束部材４１Ｂとにより構成され、この両結束部材４１Ａ，４１Ｂを幅方向に並んだ状態を保って連結するための連結手段を上記実施形態１とは異なる構成としたものである。連結手段以外の構成（保持部材４０及び結束部材４１Ａ，４１Ｂを含む）については上記実施形態１と同じであるため、同じ構成については、構造、作用及び効果の説明は省略する。
【００３３】
本実施形態では連結手段として面ファスナー４２が用いられている。即ち、第１結束部材４１Ａの外面における第２結束部材４１Ｂとの対向位置には、フック状に起毛された結合面を有する第１シート４３Ａが貼り付けられており、第２結束部材４１Ｂの外面における第１結束部材４１Ａとの対向位置には、ループ状に密集して起毛された結合面を有する第２シート４３Ｂが貼り付けられている。両結束部材４１Ａ，４１Ｂは、第１シート４３Ａと第２シート４３Ｂとを面当たりさせるようにして押し付け合うことにより、連結状態に保持される。本実施形態では、隣り合う結束部材４１Ａ，４１Ｂを面ファスナー４２で連結するようにしたので、連結時の作業性が良い。
【００３４】
＜実施形態４＞
次に、本発明を具体化した実施形態４を図４を参照して説明する。本実施形態２のワイヤーハーネスＷｄは、保持部材５０が第１結束部材５１Ａと第２結束部材５１Ｂとにより構成され、この両結束部材５１Ａ，５１Ｂを幅方向に間隔を空けて並んだ状態を保って連結するための連結手段を上記実施形態１とは異なる構成としたものである。連結手段以外の構成（保持部材５０及び結束部材５１Ａ，５１Ｂを含む）については上記実施形態１と同じであるため、同じ構成については、構造、作用及び効果の説明は省略する。
【００３５】
第１結束部材５１Ａの外面における第２結束部材５１Ｂとの対向位置には、連結部５２が形成され、連結部５２には、上下方向（幅方向と直角であり、且つ電線の配索方向である前後方向に対しても直角な方向）に貫通するとともに、第２結束部材５１Ｂ側に開口する溝部５３が形成されている。この溝部５３の平面形状は、第２結束部材５１Ｂと対向する開口部が幅狭となっており、この開口部よりも第２結束部材５１Ｂから遠い奥部が幅広となっている。
【００３６】
第２結束部材５１Ｂの外面における第１結束部材５１Ａとの対向位置には、第１結束部材５１Ａに向かって突出する突起５４が形成されている。この突起５４の平面形状は、溝部５３と同じである。即ち、突起５４のうち第２結束部材５１Ｂに近い基端部は幅狭となっており、基端部よりも第２結束部材５１Ｂから遠い（即ち、第１結束部材５１Ａに近い）先端部が幅広となっている。
【００３７】
両結束部材５１Ａ，５１Ｂを連結する際には、異なる高さで接近させた両結束部材５１Ａ，５１Ｂを上下にずらすことによって、突起５４と溝部５３とを嵌合させる。このとき、突起５４と連結部５２が僅かに弾性撓みすることにより、突起５４と溝部５３が弾性的に密着し、この密着作用により生じる摩擦抵抗により突起５４と溝部５３（連結部５２）が嵌合状態に保持される。そして、突起５４との溝部５３の嵌合により、第１結束部材５１Ａと第２結束部材５１Ｂが幅方向に間隔を空けて並んだ状態を保つように連結される。この連結手段によれば、突起５４を溝部５３に対して弾性的に嵌合させるだけで、隣り合う結束部材５１Ａ，５１Ｂを連結できるので、連結時の作業性が良い。
【００３８】
＜他の実施形態＞
本発明は上記記述及び図面によって説明した実施形態に限定されるものではなく、例えば次のような実施態様も本発明の技術的範囲に含まれる。  
（１）上記実施形態では、２つの結束部材がほぼ同じ本数の電線を束ねるようにしたが、２つの結束部材が互いに異なる本数の電線を束ねてもよい。  
（２）上記実施形態では、保持部材を２つの結束部材で構成したが、保持部材は、３つ以上の結束部材で構成されていてもよい。
【図面の簡単な説明】
【００３９】
【図１】実施形態１の平面図
【図２】実施形態２の部分平面図
【図３】実施形態３の部分平面図
【図４】実施形態４の部分平面図
【符号の説明】
【００４０】
Ｗａ…ワイヤーハーネス
１０…ハウジング
１１…端子金具
１２…電線
２０…保持部材
２１Ａ，２１Ｂ…結束部材
２２…突起
２５…孔部
Ｗｂ，Ｗｃ，Ｗｄ…ワイヤーハーネス
３０，４０，５０…保持部材
３１Ａ，３１Ｂ，４１Ａ，４１Ｂ，５１Ａ，５１Ｂ…結束部材
３３…孔部
３４…リング状部材
４２…面ファスナー
５３…溝部
５４…突起
【図１】
2010123382.tif 000003
【図２】
2010123382.tif 000004
【図３】
2010123382.tif 000005
【図４】
2010123382.tif 000006